(57)【要約】【課題】汚物が棚面に付着しにくく、棚面上に付着した汚物に洗浄水が衝突することで起こる水飛びの発生を抑制することができる衛生性のよいオストメイト用汚物流しを提供すること。【解決手段】壁面に沿って配置されるオストメイト用汚物流しであって、汚物受け面と、汚物受け面の上方に形成されるリム面と、リム面と汚物受け面との間に周回して形成され、略水平に突出した棚面と、を備えたボウル部と、ボウル部の下方から上昇するように形成され、汚物受け面の下方に封水を形成するトラップ管路と、給水源から洗浄水を供給する給水路と、ボウル部のリム面に開口され、洗浄水をリム面に沿って水平方向に旋回するように棚面に吐水する吐水口と、を有する吐水部と、を備え、ボウル部のリム面は、少なくともボウル部の中心よりも壁面の前方側において、少なくとも棚面の一部を覆うようボウル部の中心に向かってオーバーハングした形状に形成されていることを特徴とする。【選択図】  図２
2018126330.tif 000002
【特許請求の範囲】
【請求項１】
壁面に沿って配置されるオストメイト用汚物流しであって、
ボウル形状の汚物受け面と、この汚物受け面の上方に形成されるリム面と、このリム面と前記汚物受け面との間に周回して形成され、略水平に突出した棚面と、を備えたボウル部と、
このボウル部の下方から上昇するように形成され、前記汚物受け面の下方に封水を形成するトラップ管路と、
給水源から洗浄水を供給する給水路と、前記ボウル部のリム面に開口され、前記給水路から給水された洗浄水を前記リム面に沿って水平方向に旋回するように前記棚面上に吐水する吐水口と、を有する吐水部と、を備え、
前記ボウル部のリム面は、少なくとも前記ボウル部の中心よりも前記壁面の前方側において、少なくとも棚面の一部を覆うよう前記ボウル部の中心に向かってオーバーハングした形状に形成されていることを特徴とするオストメイト用汚物流し。
【請求項２】
前記ボウル部のリム面は、少なくとも前記ボウル部の中心よりも前記壁面の前方側において、棚面の略略全体を覆うように前記ボウル部の中心に向かってオーバーハングした形状に形成されていることを特徴とする請求項１記載のオストメイト用汚物流し。
【請求項３】
前記ボウル部は、前記リム面がオーバーハングした形状に形成されている位置において、その上面が前記ボウル部の中心、かつ、下方に向けて傾斜していることを特徴とする請求項１又は請求項２記載のオストメイト用汚物流し。
【請求項４】
前記ボウル部のリム面は、前記ボウル部の略略全体において、オーバーハングした形状に形成されていることを特徴とする請求項３記載のオストメイト用汚物流し。
【発明の詳細な説明】
【技術分野】
【０００１】
本発明は、人工肛門や人工膀胱などの保持者である「オストメイト」と呼ばれる方々が使用するオストメイト用汚物流しに関する。
【背景技術】
【０００２】
人工肛門や人工膀胱などの保持者であるオストメイトと呼ばれる方々は、身体の腹部に排泄物（以下、汚物という）を溜めておくための袋、いわゆるパウチを装着しており、所定時刻や所定の時間間隔毎に、トイレにおいて溜まった汚物を廃棄したり、パウチの内面、ストーマ（腹部に造設された排泄口）、ストーマ付近の腹部などに着いた汚物を洗い流したりするなどの作業を行う必要がある。
【０００３】
オストメイトと呼ばれる方々が外出先で作業を行うための専用設備として、例えば特許文献１に記載されたオストメイト用汚物流しが提案されている。
【０００４】
この特許文献１に記載されたオストメイト用汚物流しにおいては、洗浄水がボウル部の棚面に吐水され、洗浄水がリム面に沿って棚面上を旋回しながら、ボウル部内に廃棄された汚物を排出するように構成されている。
これによって、近年の節水化のニーズにより、オストメイト汚物流しに使用する１回当たりに流す洗浄水量を削減した場合でも、旋回流によってボウル部全体を洗浄することができる。
【０００５】
このようなオストメイト用汚物流しにおいて、オストメイトの方々は、ボウル部の上端にパウチを近づけ、パウチに溜まった汚物を廃棄するので、パウチから廃棄された汚物は、ボウル部の上端からリム面に沿って汚物受け面の下方の封水の溜まった位置まで落ちていき、汚物がリム面から汚物受け面まで広い範囲に付着する。
特に、多くのオストメイトの方々は、パウチをボウル部の正面からボウル部の上端にパウチを近づけ、汚物を廃棄するため、ボウル部の正面に立った使用者側のリム面に汚物が付着しやすい。
【０００６】
また、近年、バリアフリー法の施行に伴い、公共施設においては多目的用トイレルームの設置が促進されているが、その障壁となるのがスペースの確保である。即ち、多目的トイレルームは車椅子利用者が利用するために健常者が利用する一般的なトイレルームよりも広い面積が必要となる。
そのため、多目的トイレルームに設置されるオストメイト用汚物流しには、狭い面積でも設置できる小型化の要望が高まってきている。
【０００７】
オストメイト用汚物流しの小型化として、オストメイト用汚物流しを上下方向にコンパクトにすることが考えられる。
オストメイト用汚物流しを上下方向にコンパクトにすることで、ボウル部の開口の高さ位置を変えることなく、オストメイト用汚物流しの下方にスペースが確保できるので、オストメイト用汚物流しの使い勝手を維持したまま、多目的トイレルームにおいて車椅子利用者が転回する際につま先部分が通過するスペースを確保することができる。
【先行技術文献】
【特許文献】
【０００８】
【特許文献１】特許第０４９４１３３６号
【発明の概要】
【発明が解決しようとする課題】
【０００９】
しかしながら、特許文献１のオストメイト用汚物流しを上下方向にコンパクトにしようとすると、ボウル部の上端の高さ位置はそのままで、リム面の上下方向の長さを短くする必要があるため、棚面の高さ位置が上がり、ボウル部の上端に近くなる。
【００１０】
このオストメイト用汚物流しにおいて、オストメイトの方々の廃棄した汚物が、棚面上に付着していると、棚面上を旋回する洗浄水がその汚物に衝突し、洗浄水の水飛びが発生しやすくなるという問題があった。
【００１１】
本発明は、上記問題を解決するためになされたものであり、本発明の課題は、汚物が棚面に付着しにくく、棚面上に付着した汚物に洗浄水が衝突することで起こる水飛びの発生を抑制することができる衛生性のよいオストメイト用汚物流しを提供することである。
【課題を解決するための手段】
【００１２】
前述した目的を達成するために、本発明は、壁面に沿って配置されるオストメイト用汚物流しであって、ボウル形状の汚物受け面と、この汚物受け面の上方に形成されるリム面と、このリム面と汚物受け面との間に周回して形成され、略水平に突出した棚面と、を備えたボウル部と、このボウル部の下方から上昇するように形成され、汚物受け面の下方に封水を形成するトラップ管路と、給水源から洗浄水を供給する給水路と、ボウル部のリム面に開口され、給水路から給水された洗浄水をリム面に沿って水平方向に旋回するように棚面上に吐水する吐水口と、を有する吐水部と、を備え、ボウル部のリム面は、少なくともボウル部の中心よりも壁面の前方側において、少なくとも棚面の一部を覆うようボウル部の中心に向かってオーバーハングした形状に形成されていることを特徴とする。
このように構成された本発明においては、ボウル部のリム面は、少なくともボウル部の中心よりも壁面の前方側において、少なくとも棚面の一部を覆うようボウル部の中心に向かってオーバーハングした形状に形成されているので、ボウル部の正面から汚物を廃棄する際に、汚物が棚面上に落下しにくくなる。そのため、汚物が棚面上に付着しにくくなり、棚面を旋回する洗浄水が汚物に衝突することで起こる洗浄水の水飛びの発生を抑制することができる。
【００１３】
本発明において、好ましくは、ボウル部のリム面は、少なくともボウル部の中心よりも壁面の前方側において、棚面の略全体を覆うようにボウル部の中心に向かってオーバーハングした形状に形成されていることを特徴とする。
このように構成された本発明においては、ボウル部のリム面は、少なくとも前記ボウル部の中心よりも壁面の前方側において、棚面の略全体を覆うように前記ボウル部の中心に向かってオーバーハングした形状に形成されているので、ボウル部の正面から汚物を廃棄する際に、汚物が汚物受け面に落下し、汚物が棚面上により付着しにくくなり、棚面を旋回する洗浄水が汚物に衝突することで起こる洗浄水の水飛びの発生をより抑制することができる。
【００１４】
本発明において、好ましくは、ボウル部は、リム面がオーバーハングした形状に形成されている位置において、その上面がボウル部の中心、かつ、下方に向けて傾斜していることを特徴とする。
このように構成された本発明においては、ボウル部は、リム面がオーバーハングした形状に形成されている位置において、その上面がボウル部の中心、かつ、下方に向けて下方に向けて傾斜しているので、オストメイトの方々が、ボウル部の上面にパウチを置いて汚物を廃棄すると、パウチの口がボウル部の汚物受け面の方向を向き汚物を廃棄しやすい。
さらに、パウチから廃棄される際の汚物にボウル部の中心に向かって勢いがつきやすくなるため、汚物受け面に廃棄されやすくなり、棚面上の汚物の付着をより抑制し、水飛びの発生を抑制できる。
【００１５】
本発明において、好ましくは、ボウル部のリム面は、ボウル部の全周において、棚面の略全体を覆うように内側に向かってオーバーハングした形状に形成されていることを特徴とする。
このように構成された本発明においては、ボウル部のリム面は、ボウル部の全周において、棚面の略全体を覆うように内側に向かってオーバーハングした形状に形成されているので、オストメイトの方々がどの位置からボウル部に汚物を廃棄した場合でも、汚物が棚面に付着しにくく、水跳ねを抑制できる。
【発明の効果】
【００１６】
本発明によれば、汚物が棚面に付着しにくく、棚面上に付着した汚物に洗浄水が衝突することで起こる水飛びの発生を抑制することができる衛生性のよいオストメイト用汚物流しを提供することができる。
【図面の簡単な説明】
【００１７】
【図１】本発明の第１実施形態によるオストメイト用汚物流しの斜視図である。
【図２】図１の上面図である。
【図３】図２のIII−III線における断面図である。
【図４】本発明の第２実施形態によるオストメイト用汚物流しの上面図である。
【図５】図４のＶ―Ｖ線における断面図である。
【発明を実施するための形態】
【００１８】
以下、本発明の実施形態について添付図面を参照しながら説明する。なお、各図面中、同様の構成要素には同一の符号を付して詳細な説明は適宜省略する。
【００１９】
まず、図１乃至図３を用いて、本発明の実施形態によるオストメイト用汚物流しの基本構造を説明する。図１は、本発明の第１実施形態によるオストメイト用汚物流しの斜視図である。図２は図１の上面図である。図３は、図２のIII−III線における断面図である。
【００２０】
図１乃至図３に示すように、オストメイト用汚物流し１は、多目的トイレルームの壁面Ｋに壁掛け状に取り付けられて使用される。
なお、以降の説明においては、壁面Ｋに向かってオストメイト用汚物流し１の正面に立った使用者から見て、壁面Ｋに向かう側を「後方側」、壁面Ｋから離れる側を「前方側」と呼び、鉛直方向上側を「上方側」、鉛直方向下側を「下方側」と呼び、左右夫々の側を「左方側」、「右方側」と呼んで説明を行う。
【００２１】
オストメイト用汚物流し１は、陶器製のボウル部３と、このボウル部３の下方側に形成された溜水部５と、ボウル部３の後方側面の右方側に設けられた吐水部７と、壁面Ｋに取り付けられた水栓装置９と、を備える。また、溜水部５の下部には、トラップ管路１１（図３）が接続されている。
【００２２】
ボウル部３は、上方側が開口された椀状であり、オストメイトの方々がパウチ内の汚物を投入できるようになっている。また、ボウル部３は、その上面視において（図２参照）、横長の略楕円形状に形成されている。そのため、壁面Ｋからの前出を抑えながら、汚物が投入される左右方向の開口面積を確保することができ、汚物の投入性を維持しながら壁面Ｋからの突出量を抑えることができる。
溜水部５は、ボウル部３の下方の中央位置からが窪むように形成され、下水配管との縁切りのための封水が溜まっている。
【００２３】
吐水部７は、ボウル部３の後方に設けられた給水路（図示せず）と、給水路の下流端に形成された吐水口１３と有する。吐水部７の給水路には、口径３５ｍｍの給水配管（図示せず）と接続されている。
この吐水部７は、壁面Ｋに設けられた洗浄ボタン１５を操作することで、給水配管に設けられたフラッシュバルブ（図示せず）が開弁して吐水口１３から吐水を行い、ボウル部３を洗浄することができる。
水栓装置９は、壁面Ｋの内部に設けられた給水配管（図示せず）に接続され、その給水配管によって供給された水または湯を吐水可能であり、オストメイトの方々が汚物を廃棄した後のパウチ等の洗浄を行うことができる。
【００２４】
図３に示すように、トラップ管路１１は、溜水部５の後方側下部と連通した排水流入口１１ａから後方側の壁面Ｋに向かって上昇しながら延び、その下流端である排水流出口１１ｂが壁面Ｋに向かって開口している。このトラップ管路１１により、溜水部５に封水を形成することができる。
また、トラップ管路１１は、その排水流出口１１ｂが壁面Ｋの排水配管（図示せず）と接続されており、パウチから廃棄された汚物を下水配管に排出することができる。
【００２５】
つぎに、図２、図３に基づいてボウル部３の具体的な形状について説明する。
【００２６】
図２及び図３に示すように、ボウル部３は、汚物受け面１７と、この汚物受け面１７の上方に形成されたリム面１９と、このリム面１９と汚物受け面１７の間に形成された棚面２１と、を備える。
【００２７】
汚物受け面１７は、ボウル形状であり、その下方の略中央位置には、溜水部５が形成されている。
リム面１９は、略鉛直方向に伸び、周囲を囲むように形成されており、洗浄水を吐水する吐水部７の吐水口１３が開口されている。
棚面２１は、リム面１９と汚物受け面１７の間に周回して形成され、略水平に突出している。この棚面２１は、リム面１９に開口された吐水口１３から吐水された洗浄水を載せて、リム面１９に沿って水平方向に旋回する旋回流を形成している。
【００２８】
また、棚面２１は、ボウル部３の前方側の中央位置において、その一部が切り欠かれ、溜水部５に向かって拡幅する形状となっている。
これによって、棚面２１を旋回する洗浄水の一部を溜水部５へ向かうように誘導することができる。
【００２９】
ここで、リム面１９の上方は、ボウル部３の全周において、棚面２１の少なくとも一部を覆うように内側に向かってオーバーハングした形状に形成されている。
言い換えると、リム面１９は、その先端１９ａが棚面２１の外周２１ａより内側までオーバーハングした形状になっている。
このオーバーハングした形状により、オストメイトの方々が汚物を廃棄する際に、汚物受け面１７に近接して落下させやすく、汚物が棚面２１に落下しにくくなる。そのため、汚物が棚面２１に付着しにくくなり、棚面２１を旋回する洗浄水が汚物に衝突することで起こる洗浄水の水飛びの発生を抑制することができる。
なお、本実施形態において、リム面１９のオーバーハングした形状は、ボウル部３の全周に形成されているが、オストメイトの方々が汚物の廃棄をよく行う位置であるボウル部３の中心よりも前方側に少なくとも形成されていれば良い。
なお、本実施形態において、ボウル部３の中心より前方側とは、溜水部５の前後方向の中心線Ｃよりも前方側のことである。
【００３０】
また、リム面１９がオーバーハングした形状に形成されている位置において、ボウル部３の上面２３はボウル部３の中心、かつ、下方に向けて傾斜している。
このようにボウル部３の上面２３がボウル部３の中心、かつ、下方に向けて傾斜することで、ボウル部３の上面２３にパウチを載せた際に、パウチの開口方向が汚物受け面１７に向くようなる。
【００３１】
つぎに、上述した本発明の第１実施形態によるオストメイト用汚物流し１における作用について説明する。
【００３２】
まず、本発明の第１実施形態によるオストメイト用汚物流し１によれば、ボウル部３のリム面１９は、少なくともボウル部３の中心よりも壁面Ｋの前方側において、少なくとも棚面２１の一部を覆うようにボウル部３の中心に向かってオーバーハングした形状に形成されている（図２及び図３参照）ので、オストメイトの方々がボウル部３の正面から汚物を廃棄する際に、汚物が棚面２１上に落下しにくくなる。そのため、汚物が棚面２１上に付着しにくくなり、棚面２１を旋回する洗浄水が汚物に衝突することで起こる洗浄水の水飛びの発生を抑制することができる。
【００３３】
また、本発明の第１実施形態によるオストメイト用汚物流し１によれば、ボウル部３は、リム面１９がオーバーハングした形状に形成されている位置において、その上面２３がボウル部３の中心、かつ、下方に向けて傾斜しているので、オストメイトの方々が、ボウル部３の上面２３にパウチを置いて汚物を廃棄すると、パウチの口がボウル部３の汚物受け面１７の方向を向き汚物を廃棄しやすい。
さらに、パウチから廃棄される際の汚物にボウル部３の中心に向かう勢いがつきやすくなるため、汚物受け面１７に廃棄されやすくなり、棚面２１上の汚物の付着をより抑制し、水飛びの発生を抑制できる。
【００３４】
また、本発明の第１実施形態によるオストメイト用汚物流しによれば、ボウル部３のリム面１９は、ボウル部３の全周において、オーバーハングした形状に形成されているので、オストメイトの方々がどの位置からボウル部３に汚物を廃棄した場合でも、汚物が棚面に付着しにくく、水跳ねを抑制できる。
【００３５】
つぎに、図４および図５を用いて、本発明の第２実施形態におけるオストメイト用汚物流し２について、説明を行う。
図４は、本発明の第２実施形態におけるオストメイト用汚物流しの上面図である。図５は、図５のＶ―Ｖ線における断面図である。この第２実施形態において、上述した第１実施形態と同一部分には同一符号を付し、それらの説明は省略する。
【００３６】
図４及び図５に示すように、本発明の第２実施形態におけるオストメイト用汚物流し２は、ボウル部３０が備えられている。このボウル部３０は、汚物受け面１７と、棚面２１と、汚物受け面１７の上方に形成されたリム面３３と、を有する。
【００３７】
リム面３３は、略鉛直方向に伸び、周囲を囲むように形成されており、洗浄水を吐水する吐水部７の吐水口１３が開口されている。
【００３８】
リム面３３の上方は、ボウル部３０の全周において、棚面２１の略全体を覆うように内側に向かってオーバーハングした形状に形成されている。
言い換えると、リム面３３は、その先端３３ａが棚面２１の内周２１ｂより内側までオーバーハングした形状になっている。
このオーバーハングした形状により、オストメイトの方々が汚物を廃棄する際に、汚物が汚物受け面１７に落下し、汚物が棚面２１上により付着しにくくなり、棚面２１を旋回する洗浄水が汚物に衝突することで起こる洗浄水の水飛びの発生をより抑制することができる。
なお、本実施形態において、リム面３３のオーバーハングした形状は、ボウル部３０の全周に形成されているが、オストメイトの方々が汚物の廃棄をよく行う位置であるボウル部３０の中心よりも前方側に少なくとも形成されていれば良い。
【００３９】
また、リム面３３がオーバーハングした形状に形成されている位置において、ボウル部３０の上面３５はボウル部３０の中心、かつ、下方に向けて傾斜している。
このようにボウル部３の上面２３がボウル部３０の中心、かつ、下方に向けて傾斜することで、ボウル部３０の上面２３にパウチを載せた際に、パウチの開口方向が汚物受け面に向くようなる。
【００４０】
つぎに、上述した本発明の第２実施形態によるオストメイト用汚物流し２における作用について説明する。
まず、本発明の第２実施形態によるオストメイト用汚物流し２によれば、ボウル部３０のリム面３３は、少なくともボウル部３０の中心よりも壁面Ｋの前方側において、棚面２１の略全体を覆うように内側に向かってオーバーハングした形状に形成されているので、ボウル部３０の正面から汚物を廃棄する際に、汚物が汚物受け面１７に落下し、汚物が棚面２１上により付着しにくくなり、棚面２１を旋回する洗浄水が汚物に衝突することで起こる洗浄水の水飛びの発生をより抑制することができる。
【００４１】
また、本発明の第２実施形態によるオストメイト用汚物流し２によれば、ボウル部３０は、リム面３３がオーバーハングした形状に形成されている位置において、その上面３５がボウル部３０の中心、かつ、下方に向けて傾斜しているので、オストメイトの方々が、ボウル部３０の上面３５にパウチを置いて汚物を廃棄すると、パウチの口がボウル部３０の汚物受け面１７の方向を向き汚物を廃棄しやすい。
さらに、汚物受け面１７に廃棄されやすくなり、棚面２１上の汚物の付着をより抑制し、水飛びの発生を抑制できる。
【００４２】
また、本発明の第２実施形態によるオストメイト用汚物流し２によれば、ボウル部３０のリム面３３は、ボウル部３０の全周において、オーバーハングした形状に形成されているので、オストメイトの方々がどの位置からボウル部３０に汚物を廃棄した場合でも、汚物が棚面に付着しにくく、水跳ねを抑制できる。
【００４３】
以上、本発明の実施形態について説明した。しかし、本発明はこれらの記述に限定されるものではなく、例えば、オストメイト用汚物流しは、壁掛けでなく、床置きされているものであってもよく、壁面Ｋに沿って配置されているものであればよい。
【符号の説明】
【００４４】
１、２        オストメイト用汚物流し
３        ボウル部
５        溜水部
７        吐水部
９      水栓装置
１１    トラップ管路
１１ａ    排水流入口
１１ｂ    排水流出口
１３        吐水口
１５        洗浄ボタン
１７        汚物受け面
１９        リム面
１９ａ      先端
２１        棚面
２１ａ      外周
２１ｂ      内周
２３        上面
３０        ボウル部
３３        リム面
３３ａ    先端
３５      上面
【図１】
2018126330.tif 000003
【図２】
2018126330.tif 000004
【図３】
2018126330.tif 000005
【図４】
2018126330.tif 000006
【図５】
2018126330.tif 000007